(57)【要約】【解決手段】本発明は、一対のスキッドを溶着することにより形成される溶着パレットにおいて、筒状部分を構成する上部スキッドに、上部スキッド側水平板状部を形成するとともに、筒状部分を構成する下部スキッドに、下部スキッド側水平板状部を形成したものである。【発明の効果】  上述したように、一対のスキッドを溶着することにより形成される溶着パレットにおいて、筒状部分を構成する上部スキッドに、上部スキッド側水平板状部を形成するとともに、筒状部分を構成する下部スキッドに、下部スキッド側水平板状部を形成したので、溶着パレットに、フォークリフトのフォークが当接した際に、溶着パレットの隅桁や中央桁の損傷を防止することができるとともに、溶着パレットの強度や剛性を高めることができる。【選択図】図４
2014005024.tif 000002
【特許請求の範囲】
【請求項１】
一対のスキッドを溶着することにより形成される溶着パレットにおいて、筒状部分を構成する上部スキッドに、上部スキッド側水平板状部を形成するとともに、筒状部分を構成する下部スキッドに、下部スキッド側水平板状部を形成したことを特徴とする溶着パレット。
【発明の詳細な説明】
【技術分野】
【０００１】
本発明は、合成樹脂で、それぞれ、一体に成形された半製品である上部スキッドと下部スキッドとを、桁部分で溶着することにより形成される溶着パレットに関するものである。
【背景技術】
【０００２】
従来、一体に成形された半製品である上部スキッドと下部スキッドとを、桁部分で溶着することにより形成される溶着パレットが、一例として、特許文献１に開示されている。
【０００３】
特許文献１には、四隅に形成された隅桁部と、隅桁部の中間に形成された中間桁部と、中央部に形成された中央桁部とを有する平面形状が方形状の上部スキッドと、同様に、四隅に形成された隅桁部と、隅桁部の中間に形成された中間桁部と、中央部に形成された中央桁部とを有する下部スキッドとを、それぞれ、合成樹脂で一体に成形するとともに、上部スキッドの隅桁部の端面、中間桁部の端面及び中央桁部の端面と、下部スキッドの隅桁部の端面、中間桁部の端面及び中央桁部の端面とを、それぞれ、互いに溶着することにより形成される溶着パレットが知られている。
【０００４】
上述したように、上部スキッドの隅桁部と下部スキッドの隅桁部を溶着することにより、溶着パレットの隅桁が形成され、また、上部スキッドの中間桁部と下部スキッドの中間桁部を溶着することにより、溶着パレットの中間桁が形成され、更に、上部スキッドの中央桁部と下部スキッドの中央桁部を溶着することにより、溶着パレットの中央桁が形成されることになる。そして、隅桁と中間桁との間、及び、中間桁と中央桁との間には、フォークリフトのフォークが挿入されるフォーク挿入開口が形成されることになる。
【先行技術文献】
【特許文献】
【０００５】
【特許文献１】特開２００１−２６１０３９号公報
【発明の概要】
【発明が解決しようとする課題】
【０００６】
上述した溶着パレットにおいては、隅桁、中間桁及び中央桁の角部のうち、
フォーク挿入開口に挿入されるフォークリフトのフォークが当接される可能性が高い角部の強度が低いために、隅桁、中間桁及び中央桁の角部が損傷するという問題があった。
【０００７】
また、特に、上述した四方差しの溶着パレットにおいては、フォークリフトの操作者が、中央桁の角部を視認すことができないために、中央桁の角部の損傷が、他の角部より、損傷率が、大きいという問題があった。
【０００８】
本発明の目的は、上述した従来の溶着パレットが有する課題を解決することにある。
【課題を解決するための手段】
【０００９】
本発明は、上述した目的を達成するために、一対のスキッドを溶着することにより形成される溶着パレットにおいて、筒状部分を構成する上部スキッドに、上部スキッド側水平板状部を形成するとともに、筒状部分を構成する下部スキッドに、下部スキッド側水平板状部を形成したものである。
【発明の効果】
【００１０】
上述したように、一対のスキッドを溶着することにより形成される溶着パレットにおいて、筒状部分を構成する上部スキッドに、上部スキッド側水平板状部を形成するとともに、筒状部分を構成する下部スキッドに、下部スキッド側水平板状部を形成したので、溶着パレットに、フォークリフトのフォークが当接した際に、溶着パレットの隅桁や中央桁の損傷を防止することができるとともに、溶着パレットの強度や剛性を高めることができる。
【図面の簡単な説明】
【００１１】
【図１】図１は、本発明の溶着パレットの斜視図である。
【図２】図２は、本発明の一部断面を含む拡大斜視図である。
【図３】図３は、同じく、本発明の一部断面を含む拡大斜視図である。
【図４】図４は、同じく、本発明の一部断面を含む拡大斜視図である。
【実施例】
【００１２】
以下に、本発明の実施例について説明するが、本発明の趣旨を越えない限り何ら、本実施例に限定されるものではない。
【００１３】
先ず最初に、図１及び図２を用いて、溶着パレットＰの全体構成について説明する。なお、溶着パレットＰの全体構成については、特許文献１等の開示されているように、公知であるので、詳細な説明は省略する。
【００１４】
溶着パレットＰは、特許文献１等の開示されているように、上部スキッドＰ１と下部スキッドＰ２を溶着することにより形成されている。上部スキッドＰ１は、上部スキッドＰ１の四隅に形成された隅桁部１’と、隅桁部１’の中間に形成された中間桁部２’と、中央部に形成された中央桁部３’とを有する平面形状が方形状の上部スキッドＰ１と、同様に、四隅に形成された隅桁部１”と、隅桁部１”の中間に形成された中間桁部２”と、中央部に形成された中央桁部３”とを有する平面形状が方形状の下部スキッドＰ２とを、それぞれ、合成樹脂で一体に成形する。そして、上部スキッドＰ１の隅桁部１’と下部スキッドＰ２の隅桁部１”と、上部スキッドＰ１の中間桁部２’と下部スキッドＰ２の中間桁部２”と、上部スキッドＰ１の中央桁部３’と下部スキッドＰ２の中央桁部（図示されていない。）とを、溶着面Ｍで、溶着することにより、溶着パレットＰが形成されている。
【００１５】
上部スキッドＰ１と下部スキッドＰ２を溶着することにより形成されたパレットＰには、上部スキッドＰ１の隅桁部１’と下部スキッドＰ２の隅桁部１”とにより、隅桁１が形成されており、また、上部スキッドＰ１の中間桁部２’と下部スキッドＰ２の中間桁部２”とにより、中間桁２が形成されており、更に、上部スキッドＰ１の中央桁部３’と下部スキッドＰ２の中央桁部とにより、中央桁３が形成されている。
【００１６】
また、溶着パレットＰには、隅桁１と中間桁２との間、及び、中間桁２と中央桁３との間には、フォークリフトのフォーク挿入されるフォーク挿入口４が形成されており、このようにして、所謂、四方差しの溶着パレットＰが形成されることになる。
【００１７】
上述した溶着パレットＰの隅桁１の内側角部（中央桁３の４つの角部３ａの１つと対向する角部）１ａには、角筒状部分Ｔが形成されており、また、中央桁３の４つの角部３ａにも、同様の角筒状部分Ｔが形成されている。このような、隅桁１の内側角部１ａや中央桁３の４つの角部３ａは、フォークリフトのフォークが、フォーク挿入口４に挿入された際に、フォークが、当接し易い角部１ａ、３ａであり、これら角部１ａ、３ａに形成されている角筒状部分Ｔには、溶着パレットＰの上部デッキｐ１から下部デッキｐ２まで達する垂直な補強リブｔ１が形成されている。
【００１８】
次に、図３及び図４を用いて、中央桁３の角部３ａに形成された角筒状部分Ｔを例に、角筒状部分Ｔの構成について説明する。
【００１９】
角筒状部分Ｔを形成する上部スキッドＰ１の上部スキッド側部分Ｔ１の下端部には、上部スキッド側水平板状部ｔ１’が形成されており、また、角筒状部分Ｔを形成する下部スキッドＰ２の下部スキッド側部分Ｔ２の上端部には、下部スキッド側水平板状部ｔ２’が形成されている。溶着パレットＰが形成された際には、上部スキッド側水平板状部ｔ１’と下部スキッド側水平板状部ｔ２’との間には、上部スキッドＰ１の上部スキッド側部分Ｔ１と下部スキッドＰ２の下部スキッド側部分Ｔ２とを溶着した際に、溶融樹脂が収容される溶融樹脂空間Ａ１が形成されるように構成されている。
【００２０】
角筒状部分Ｔを構成する上部スキッドＰ１の上部スキッド側部分Ｔ１の下端部に、上部スキッド側水平板状部ｔ１’を形成するとともに、角筒状部分Ｔを構成する下部スキッドＰ２の下部スキッド側部分Ｔ２の上端部に、下部スキッド側水平板状部ｔ２’を形成したので、上部スキッドＰ１と下部スキッドＰ２と溶着することにより形成された溶着パレットＰに、フォークリフトのフォークが当接した際に、溶着パレットＰの隅桁１や中央桁３の損傷を防止することができるとともに、溶着パレットＰの強度や剛性を高めることができる。
【００２１】
なお、図４に示されているように、上部スキッド側水平板状部ｔ１’と下部スキッド側水平板状部ｔ２’には、水抜き孔ｔ３を穿設することができる。
【００２２】
また、フォークリフトのフォークが当接する可能性がある中間桁２の角部にも、同様の構成を有する上部スキッドＰ１の上部スキッド側部分Ｔ１に形成された上部スキッド側水平板状部ｔ１’と、下部スキッドＰ２の下部スキッド側部分Ｔ２に形成された下部スキッド側水平板状部ｔ２’を形成することができる。
【符号の説明】
【００２３】
Ｐ・・・・・・・・・・・溶着パレット
Ｐ１・・・・・・・・・・上部スキッド
Ｐ２・・・・・・・・・・下部スキッド
Ｔ・・・・・・・・・・・角筒状部分
ｔ１’・・・・・・・・・上部スキッド側水平板状部
ｔ２’・・・・・・・・・下部スキッド側水平板状部
１・・・・・・・・・・・隅桁
２・・・・・・・・・・・中間桁
３・・・・・・・・・・・中央桁
【図１】
2014005024.tif 000003
【図２】
2014005024.tif 000004
【図３】
2014005024.tif 000005
【図４】
2014005024.tif 000006